(57)【要約】      （修正有）【課題】子供や女性が容易に着衣或いはバッグ等へ装着出来て夜間に安全な行動が可能で、災害、犯罪等の問題発生の場合は警報を発生し、速やかな対応が可能な小型夜間照明装置および警報発生装置の構造を提供する。【解決手段】コインバッテリーとスイッチ８とＬＥＤランプ７を使用した夜間照明装置６と、その装置を衣類に設置する為に上後部に衣類に設置するピン４、及びハンガーを設置する。照明装置と警報発生装置を別なものとし、各装置を用途に合わせて設置し、装置の外見も見やすい形状とする。【選択図】図３
0003202916.tif 000002
【実用新案登録請求の範囲】
【請求項１】
衣服、各種バック等へ装着可能な、小型で軽量な携帯用夜間照明装置及び、警報発生装置とその装着方法。
【請求項２】
請求項１による照明装置、又は警報発生装置を衣服へ設置する装着の手法。
【請求項３】
請求項１による照明装置、又は警報発生装置を各種バッグ等へ設置する装着方法。
【考案の詳細な説明】
【技術分野】
【０００１】  本考案は、夜間携帯用の照明、或いは警報発生装置の構成とその保持方法に関するものである。
【背景技術】
【０００２】  近年ＬＥＤの技術による多くの照明装置が開発され、実用化が進んでいる。又、小型の発音装置の実用化も進んでいる。  昨今の社会情勢、或いは、突如発生する自然災害、犯罪、登山時の問題発生等を見る時に、進んだ技術の利用を更に多様化し、進化させて日常生活の面で利用をすべきと考える。
本考案は、それらの技術を用いて夜間に活動する多岐に渉る分野の補助用具として利用する手法を提案するものである。【０００３】  本考案は、一般人や、特に子供や女性が利用する場合に、服やバッグに装着する時に装置の容量、或いは重量を下げて可能となる設置場所の範囲を広げ、外観も見易い形状として利用価値を高めることを目的としている。
【先行文献】
【０００４】  特開２０１５−１４５９６４
特開２０１４−２１６２８１
特開２０１４−１５７８０２
特開２０１３−２１８８５４
特開２０１３−１７８２１３
【考案の概要】
【考案が解決しようとする課題】
【０００５】  上述の通り、本考案の課題は、高い照度、或いは高い発生音を持った装置を、一般人や、特に子供や女性が容易に着衣或いはバッグ等へ装着出来て夜間に安全な行動が可能で、災害、犯罪等の問題発生の場合は警報を発生し、速やかな対応が可能で効果も高い装置の完成を課題としている。
【考案が解決しようとする手段】
照明装置と警報発生装置を分離し、双方を別な場所への設置を可能とし、これによって衣服等への負荷を削減し、各装置の軽量化によって人体への負担も軽くして長時間の使用を可能とする。
【考案の効果】
【０００６】  一般人、特に子供や女性が衣服やバッグへ装着する装置の中に発光、音響発信の機能が全て組み込まれル場合には、装置の大きさ、重量が衣服やバッグの１か所に集められるので総体的に重く、体積も大型となり洋服やバックへの負担が増え、更に女性の衣服への装着には外見上に問題があった。  一般的には女性の衣服にはポケットが無い。  その為に本事例の様な小型の装置であっても簡単に衣服へ装着することは出来ない。
本考案による装置は負担が２分されるので衣服或いは肉体の一部分への集中的な負担が無くなり、且つ装置自体の外見上にも改善がなされる結果となる。
【図面の簡単な説明】
【０００７】
【図１】  女性の衣服へ装置を２分して装着した外見図。
【図２】  装置の正面図。
【図３】  発光装置の正面図。
【図４】  発光装置の断面図。
【図５】  警笛発生装置の正面図。
【図６】  警笛発生装置の断面図。
【図７】  ハンガーの正面図
【図８】  ハンガーによる懸架図
【考案を実施する為の形態】
【実施例】
【０００８】  図１、図２参照、
図１は、例えば発光装置（２）、警笛発生装置（３）を女性の着衣（１）へ装着した時の外観図である。（１）は、女性の着衣、（２）は、発光装置（３）は、警笛発信装置を示す。
図２は、発光装置の外観図である。（４）は着衣への装着用のピンである。（５）は衣服へ装着するピン（４）の架台である。（６）は，装置のボディである。
発光装置、警笛発生装置を同一の装置に組み上げた場合には、装置の容積と重量が増加し、子供や女性が装置を衣服や、バッグへ装着した場合には衣服への加重が掛かり過ぎ、一か所への負担が大きくなって長時間の装着は困難となる可能性がある。  本願の場合は、装置を２分して体積と重量が１ヶ所に集中することが無くなり、使用の負荷が２分されて外見上にも改善がなされる余裕が生ずる。【０００９】図３、図４参照、
図３は、発光装置の正面の外観図である。（４）は装置を服に装着するピン、（５）はピンの架台、（６）は装置の外壁、（７）は、ライトとその反射鏡である。
図４は、図３のＡ−Ａ断面図である。（５）は装着用ピンの架台、（６）は装置の外壁、（７）は、ライト、（８）は、ライト用のスイッチ、を示す。
装置は、（４）の装着用ピンによって洋服に装着され、（８）のスイッチを押すことによってライトが点灯し、反射鏡によって前面を照射する。スイッチを長押しすることにより次にスイッチを押す迄点灯を続ける。
装置の裏側にホルダー（１２）を設置し、洋服のポケットへ懸架することも可能とする。【００１０】図５、図６参照、
図５は、警笛発生装置の正面の外観図である。（４）は装置を洋服に装着するピン、（５）は、装着用ピンの架台、（６）は装置の外壁、（１０）は警笛発生装置、（１１）は、警笛発生用のスイッチ、を示す。
図６は、図５のＢ−Ｂ断面図である。（５）は装着用ピンの架台、（６）は装置の外壁、（９）はコインバッテリー、（１０）は警笛発生装置、（１１）は警笛発生用スイッチを示す。
装置は、（４）の装着用ピンによって衣類に装着され、（１１）のスイッチを押すことによって警報が発せられ、スイッチを長押しすることにより次にスイッチを押す迄発声を続ける。  必要によっては、装置の裏側にホルダー（１２）を設置し、洋服のポケットへ懸架することも可能とする。
【産業上の利用可能性】
【００１１】本装置は、夜間行動中の照明と警笛発生装置を分離して、容積と重量を２分し、且つ外観も整え、殊に、照明による子供や婦女子の夜間行動中の交通安全と、警笛発生による危険発生防止を行い、更には一般人に対しても近年多発する自然災害発生時、或いは登山時の災害発生に備え、多角的対応の利用可能性を持つ装置である
【符号の説明】
【００１２】（１）      着衣。
（２）      照明装置外観。
（３）      警笛発生装置外観。
（４）      装着用ピン。
（５）      ピン用架台。
（６）      本体。
（７）      ＬＥＤランプ及び反射鏡。
（８）      ＬＥＤランプ用スイッチ。
（９）      コインバッテリー。
（１０）    警笛発生装置。
（１１）    警笛発生用スイッチ。
（１２）    装置を衣服のポケット或いはバッグ等へ装着するホルダー。
【図１】
0003202916.tif 000003
【図２】
0003202916.tif 000004
【図３】
0003202916.tif 000005
【図４】
0003202916.tif 000006
【図５】
0003202916.tif 000007
【図６】
0003202916.tif 000008
【手続補正書】
【提出日】平成27年12月10日(2015.12.10)
【手続補正１】
【補正対象書類名】実用新案登録請求の範囲
【補正対象項目名】全文
【補正方法】変更
【補正の内容】
【実用新案登録請求の範囲】
【請求項１】
衣服、各種バック等へ装着可能な、コインバッテリーとＬＥＤランプを使用した夜間照明装置と、その装置を衣類に設置する為に上後部に衣類に設置するピン、及びハンガーを設置した小型夜間照明装置の構造。
【請求項２】
衣服、各種バック等へ装着可能な、コインバッテリーと円筒形音声発生装置を使用した警報発生装置と、その装置を衣類に設置する為に上後部に衣類に設置するピン、及びハンガーを設置した小型夜間警報発生装置の構造。
【手続補正２】
【補正対象書類名】明細書
【補正対象項目名】０００７
【補正方法】変更
【補正の内容】
【０００７】
【図１】  衣類に設置する装置の構造を示すものである。（１）は女性の衣類で、（２）は照明装置、或いは警報発生装置を示し、装置の上側後部に設置されたピンで衣服へ設置した状態を示す。、
【図２】  図１に於ける（２）の照明装置の外観を示す。（３）は装置の上側後部に設置されたピン、（４）はピンの架台、（５）はボデ―を示す。
【図３】  照明装置の正面図を示す。  ３）は装置の上側後部に設置されたピン、（４）はピンの架台、（５）はボデ―（６）はライト、（７）はライト用スイッチを示す。
【図４】  図３のＡ−Ａ断面図である。（４）はピンの架台、（５）はボディの断面、（６）はＬＥＤランプ、（７）は押しボタンスイッチ、（８）はコインバッテリーの断面、（１１）は服のポケットを利用して装置を懸架するホルダーの断面を示す。
【図５】  警報発生装置の正面図を示す。（３）は装置を洋服へ設置するピン、（５）はボデ―、（８）はコインバッテリー、（９）は警報発生装置、（１０）は警報発生装置用のスイッチを示す。
【図６】  図５のＢ−Ｂ断面図である。（４）はピンの架台、（５）はボディの断面、（８）はコインバッテリーの断面、（９）は警報発生装置、（１０）は、警報発生用スイッチの断面、（１１）は、（１１）は服のポケットを利用して装置を懸架するホルダーの断面を示す。